(57)【要約】【課題】  グリーティングカードの受取人に提供する賞品に対して、差出人に関する地域との関連性を持たせることを可能とする。【解決手段】  受取人情報取得手段１ｄが受取人に関する情報を差出人から取得すると、地域コード取得手段１ｅが地域情報記憶手段１ａを参照し、この差出人に関する地域に割り振られている地域コードを取得する。そして、この地域コードを含む抽選番号を抽選番号採番手段１ｆが採番し、その抽選番号と受取人とを対応付けてカード情報記憶手段１ｂに格納する。その後、賞品特定手段１ｇが、当選番号を用いてカード情報記憶手段１ｂを参照し、グリーティングカードの懸賞に当選した抽選番号を取得する。そして、賞品情報記憶手段１ｃを参照し、その抽選番号に含まれる地域コードに応じた賞品を、カード情報記憶手段１ｂでこの抽選番号に対応付けられた受取人への賞品として特定する。【選択図】  図１
2005275639.tif 000002
【特許請求の範囲】
【請求項１】
紙葉からなり、懸賞が付加されたグリーティングカードにおけるサービスを提供するサービス提供方法において、
受取人情報取得手段が、前記グリーティングカードの受取人に関する情報を差出人から取得する受取人情報取得ステップと、
地域コード取得手段が、予め設定された地域毎に地域コードが割り振られて登録されている地域情報記憶手段を参照して、前記差出人に関する地域を示す差出人地域に割り振られている前記地域コードを取得する地域コード取得ステップと、
抽選番号採番手段が、前記地域コード取得手段において取得された前記地域コードを含む抽選番号を採番し、前記抽選番号と前記受取人とを対応付けてカード情報記憶手段に格納する抽選番号採番ステップと、
賞品特定手段が、前記懸賞における当選番号を用いて前記カード情報記憶手段を参照して、前記懸賞に当選した前記抽選番号を取得し、地域コード毎に前記懸賞の賞品が予め登録されている賞品情報記憶手段を参照して、取得した前記抽選番号に含まれる前記地域コードに応じた前記賞品を、前記カード情報記憶手段において取得した前記抽選番号に対応付けられた前記受取人への前記賞品として特定する賞品特定ステップと、
を有することを特徴とするサービス提供方法。
【請求項２】
前記地域は各々に区域コードが割り振られている複数の区域によって構成され、前記地域情報記憶手段には、さらに前記地域毎に前記地域を構成する前記区域に割り振られている前記区域コードの範囲を示す範囲情報が登録されており、前記地域コード取得ステップでは、前記地域コード取得手段が、前記差出人に前記差出人地域を指定するか否かの要求を行い、前記差出人が前記差出人地域を指定しない場合には、前記差出人毎に前記差出人が居住する前記区域に割り振られている前記区域コードが予め登録されている差出人情報記憶手段を参照して、前記差出人に応じた前記区域コードを取得し、前記地域情報記憶手段を参照して、取得した前記区域コードが含まれる前記範囲情報に対応付けられた前記地域を前記差出人地域とし、前記差出人が前記差出人地域を指定する場合には、前記差出人から指定された前記地域を前記差出人地域とすることを特徴とする請求項１記載のサービス提供方法。
【請求項３】
前記抽選番号採番ステップの後、カード印刷手段が、採番された前記抽選番号を前記グリーティングカードに印刷するカード印刷ステップをさらに有することを特徴とする請求項１記載のサービス提供方法。
【請求項４】
紙葉からなり、懸賞が付加されたグリーティングカードにおけるサービスを提供するサービス提供プログラムにおいて、
コンピュータを、
前記グリーティングカードの受取人に関する情報を差出人から取得する受取人情報取得手段、
予め設定された地域毎に地域コードが割り振られて登録されている地域情報記憶手段を参照して、前記差出人に関する地域を示す差出人地域に割り振られている前記地域コードを取得する地域コード取得手段、
前記地域コード取得手段において取得された前記地域コードを含む抽選番号を採番し、前記抽選番号と前記受取人とを対応付けてカード情報記憶手段に格納する抽選番号採番手段、
前記懸賞における当選番号を用いて前記カード情報記憶手段を参照して、前記懸賞に当選した前記抽選番号を取得し、地域コード毎に前記懸賞の賞品が予め登録されている賞品情報記憶手段を参照して、取得した前記抽選番号に含まれる前記地域コードに応じた前記賞品を、前記カード情報記憶手段において取得した前記抽選番号に対応付けられた前記受取人への前記賞品として特定する賞品特定手段、
として機能させることを特徴とするサービス提供プログラム。
【請求項５】
紙葉からなり、懸賞が付加されたグリーティングカードにおけるサービスを提供するサービス提供装置において、
前記グリーティングカードの受取人に関する情報を差出人から取得する受取人情報取得手段と、
予め設定された地域毎に地域コードが割り振られて登録されている地域情報記憶手段を参照して、前記差出人に関する地域を示す差出人地域に割り振られている前記地域コードを取得する地域コード取得手段と、
前記地域コード取得手段において取得された前記地域コードを含む抽選番号を採番し、前記抽選番号と前記受取人とを対応付けてカード情報記憶手段に格納する抽選番号採番手段と、
前記懸賞における当選番号を用いて前記カード情報記憶手段を参照して、前記懸賞に当選した前記抽選番号を取得し、地域コード毎に前記懸賞の賞品が予め登録されている賞品情報記憶手段を参照して、取得した前記抽選番号に含まれる前記地域コードに応じた前記賞品を、前記カード情報記憶手段において取得した前記抽選番号に対応付けられた前記受取人への前記賞品として特定する賞品特定手段と、
を有することを特徴とするサービス提供装置。
【発明の詳細な説明】
【技術分野】
【０００１】
本発明はサービス提供方法、サービス提供プログラム、及びサービス提供装置に関し、特に、紙葉からなり、懸賞が付加されたグリーティングカードにおけるサービスを提供するサービス提供方法、サービス提供プログラム、及びサービス提供装置に関する。
【背景技術】
【０００２】
現在、懸賞が付いたグリーティングカードとして、例えば年賀状がある。年賀状では、その下部に予め印刷された番号に基づいて抽選が行われ、賞品の等級毎に当選番号が選出される。受取人は、受け取った年賀状の番号を参照し、当選番号と一致する番号がある場合、その番号に応じた等級の賞品として、例えばふるさと小包などの賞品を受け取ることができる。
【０００３】
また、従来、被贈答者にとって適切であるような贈答物を選択するギフトシステムが開示されている（例えば、特許文献１参照）。
このギフトシステムでは、贈答を行うユーザが注文を行う際、被贈答者の個人情報を含むデータをギフトサーバに入力する。ギフトサーバでは、入力されたデータに基づいて、西洋占星術などの人間行動科学による処理が行われ、予め用意されている複数の贈答物から、被贈答者に適する可能性の高い贈答物が選択される。その後、選択された贈答物を被贈答者に届けるための処理がなされる。
【特許文献１】特開２００１−２２９２４１号公報（段落番号〔００５０〕〜〔００５８〕、図１）
【発明の開示】
【発明が解決しようとする課題】
【０００４】
ところで、年賀状などのグリーティングカードの懸賞に用意された賞品は、日本全国一律に設定されている。従って、例えばふるさと小包のような賞品が当選した場合でも、差出人のふるさとや居住地域の特産品が届く訳ではなく、そのような地域の特徴や、地域に対する差出人の誇りを代弁することができない。このように、従来のような賞品の設定では一律に賞品が決められてしまうため、受取人に提供する賞品に対して、差出人のふるさとや居住地域など差出人に関する地域との関連性を持たせることができないという問題点があった。
【０００５】
なお、上記特許文献１に記載された技術は、被贈答者の個人情報に基づいて贈答物が選択される技術であり、贈り手側の情報に基づいて贈答物を決定するものではない。
本発明はこのような点に鑑みてなされたものであり、受取人に提供する賞品に対して、差出人に関する地域との関連性を持たせることが可能なサービス提供方法、サービス提供プログラム、及びサービス提供装置を提供することを目的とする。
【課題を解決するための手段】
【０００６】
本発明では上記課題を解決するために、図１に示すように、紙葉からなり、懸賞が付加されたグリーティングカードにおけるサービスを提供するサービス提供方法において、受取人情報取得手段１ｄが、前記グリーティングカードの受取人に関する情報を差出人から取得する受取人情報取得ステップと、地域コード取得手段１ｅが、予め設定された地域毎に地域コードが割り振られて登録されている地域情報記憶手段１ａを参照して、前記差出人に関する地域を示す差出人地域に割り振られている前記地域コードを取得する地域コード取得ステップと、抽選番号採番手段１ｆが、前記地域コード取得手段１ｅにおいて取得された前記地域コードを含む抽選番号を採番し、前記抽選番号と前記受取人とを対応付けてカード情報記憶手段１ｂに格納する抽選番号採番ステップと、賞品特定手段１ｇが、前記懸賞における当選番号を用いて前記カード情報記憶手段１ｂを参照して、前記懸賞に当選した前記抽選番号を取得し、地域コード毎に前記懸賞の賞品が予め登録されている賞品情報記憶手段１ｃを参照して、取得した前記抽選番号に含まれる前記地域コードに応じた前記賞品を、前記カード情報記憶手段１ｂにおいて取得した前記抽選番号に対応付けられた前記受取人への前記賞品として特定する賞品特定ステップと、を有することを特徴とするサービス提供方法が提供される。
【０００７】
上記の方法によれば、受取人情報取得手段１ｄがグリーティングカードの受取人に関する情報を差出人から取得すると、地域コード取得手段１ｅが地域情報記憶手段１ａを参照して、差出人に関する地域を示す差出人地域に割り振られている地域コードを取得する。そして、抽選番号採番手段１ｆが、地域コード取得手段１ｅにおいて取得された地域コードを含む抽選番号を採番し、抽選番号と受取人とを対応付けてカード情報記憶手段１ｂに格納する。その後、賞品特定手段１ｇが、懸賞における当選番号を用いてカード情報記憶手段１ｂを参照して、懸賞に当選した抽選番号を取得する。そして、賞品情報記憶手段１ｃを参照して、取得した抽選番号に含まれる地域コードに応じた賞品を、カード情報記憶手段１ｂにおいて取得した抽選番号に対応付けられた受取人への賞品として特定する。
【０００８】
また、本発明では上記課題を解決するために、図１に示すように、紙葉からなり、懸賞が付加されたグリーティングカードにおけるサービスを提供するサービス提供プログラムにおいて、コンピュータを、前記グリーティングカードの受取人に関する情報を差出人から取得する受取人情報取得手段１ｄ、予め設定された地域毎に地域コードが割り振られて登録されている地域情報記憶手段１ａを参照して、前記差出人に関する地域を示す差出人地域に割り振られている前記地域コードを取得する地域コード取得手段１ｅ、前記地域コード取得手段１ｅにおいて取得された前記地域コードを含む抽選番号を採番し、前記抽選番号と前記受取人とを対応付けてカード情報記憶手段１ｂに格納する抽選番号採番手段１ｆ、前記懸賞における当選番号を用いて前記カード情報記憶手段１ｂを参照して、前記懸賞に当選した前記抽選番号を取得し、地域コード毎に前記懸賞の賞品が予め登録されている賞品情報記憶手段１ｃを参照して、取得した前記抽選番号に含まれる前記地域コードに応じた前記賞品を、前記カード情報記憶手段１ｂにおいて取得した前記抽選番号に対応付けられた前記受取人への前記賞品として特定する賞品特定手段１ｇ、として機能させることを特徴とするサービス提供プログラムが提供される。
【０００９】
上記のようにコンピュータを機能させることで、受取人情報取得手段１ｄがグリーティングカードの受取人に関する情報を差出人から取得すると、地域コード取得手段１ｅが地域情報記憶手段１ａを参照して、差出人に関する地域を示す差出人地域に割り振られている地域コードを取得する。そして、抽選番号採番手段１ｆが、地域コード取得手段１ｅにおいて取得された地域コードを含む抽選番号を採番し、抽選番号と受取人とを対応付けてカード情報記憶手段１ｂに格納する。その後、賞品特定手段１ｇが、懸賞における当選番号を用いてカード情報記憶手段１ｂを参照して、懸賞に当選した抽選番号を取得する。そして、賞品情報記憶手段１ｃを参照して、取得した抽選番号に含まれる地域コードに応じた賞品を、カード情報記憶手段１ｂにおいて取得した抽選番号に対応付けられた受取人への賞品として特定する。
【００１０】
また、本発明では上記課題を解決するために、図１に示すように、紙葉からなり、懸賞が付加されたグリーティングカードにおけるサービスを提供するサービス提供装置において、前記グリーティングカードの受取人に関する情報を差出人から取得する受取人情報取得手段１ｄと、予め設定された地域毎に地域コードが割り振られて登録されている地域情報記憶手段１ａを参照して、前記差出人に関する地域を示す差出人地域に割り振られている前記地域コードを取得する地域コード取得手段１ｅと、前記地域コード取得手段１ｅにおいて取得された前記地域コードを含む抽選番号を採番し、前記抽選番号と前記受取人とを対応付けてカード情報記憶手段１ｂに格納する抽選番号採番手段１ｆと、前記懸賞における当選番号を用いて前記カード情報記憶手段１ｂを参照して、前記懸賞に当選した前記抽選番号を取得し、地域コード毎に前記懸賞の賞品が予め登録されている賞品情報記憶手段１ｃを参照して、取得した前記抽選番号に含まれる前記地域コードに応じた前記賞品を、前記カード情報記憶手段１ｂにおいて取得した前記抽選番号に対応付けられた前記受取人への前記賞品として特定する賞品特定手段１ｇと、を有することを特徴とするサービス提供装置が提供される。
【００１１】
上記の構成によれば、受取人情報取得手段１ｄがグリーティングカードの受取人に関する情報を差出人から取得すると、地域コード取得手段１ｅが地域情報記憶手段１ａを参照して、差出人に関する地域を示す差出人地域に割り振られている地域コードを取得する。そして、抽選番号採番手段１ｆが、地域コード取得手段１ｅにおいて取得された地域コードを含む抽選番号を採番し、抽選番号と受取人とを対応付けてカード情報記憶手段１ｂに格納する。その後、賞品特定手段１ｇが、懸賞における当選番号を用いてカード情報記憶手段１ｂを参照して、懸賞に当選した抽選番号を取得する。そして、賞品情報記憶手段１ｃを参照して、取得した抽選番号に含まれる地域コードに応じた賞品を、カード情報記憶手段１ｂにおいて取得した抽選番号に対応付けられた受取人への賞品として特定する。
【発明の効果】
【００１２】
本発明によれば、グリーティングカードの差出人に関する地域に割り振られている地域コードを含む抽選番号と受取人とを対応付けてカード情報記憶手段に格納しておき、当選した抽選番号に含まれる地域コードに応じた賞品を、カード情報記憶手段において、その抽選番号に対応付けられた受取人の賞品として特定することで、受取人に提供する賞品に対して、差出人に関する地域との関連性を持たせることができる。
【発明を実施するための最良の形態】
【００１３】
以下、本発明の実施の形態を図面を参照して説明する。
図１は、本発明の実施の形態に適用される発明の概念図である。以下、この図１を用いて本実施の形態の概要について説明する。
【００１４】
図１では、例えば年賀状など、懸賞付きのグリーティングカードに関するサービスを提供する機能を有するサービス提供装置に本発明を適用した場合について示している。
サービス提供装置１は、地域情報記憶手段１ａ、カード情報記憶手段１ｂ、及び賞品情報記憶手段１ｃ、受取人情報取得手段１ｄ、地域コード取得手段１ｅ、抽選番号採番手段１ｆ、及び賞品特定手段１ｇを有している。
【００１５】
地域情報記憶手段１ａには、例えば都道府県などの地域が予め設定され、これらの地域毎に地域コードが割り振られて登録されている。なお、この地域コードとしては、例えば数字からなる通し番号が用いられる。
【００１６】
カード情報記憶手段１ｂには、差出人から取得した受取人と、これに対して採番された懸賞用の抽選番号とが対応付けられて格納される。
賞品情報記憶手段１ｃには、懸賞に用意された賞品が地域コード毎に予め登録されている。
【００１７】
受取人情報取得手段１ｄは、例えば差出人の使用する端末からネットワークを介して、グリーティングカードの受取人に関する情報を取得する。なお、この情報には、例えば受取人の氏名や住所などが含まれる。
【００１８】
地域コード取得手段１ｅは、地域情報記憶手段１ａを参照し、例えば差出人の居住する地域や差出人によって直接指定された地域など、差出人に関する地域に割り振られている地域コードを取得する。
【００１９】
抽選番号採番手段１ｆは、地域コード取得手段１ｅによって取得された地域コードを含む抽選番号を採番し、その抽選番号と受取人とを対応付けてカード情報記憶手段１ｂに格納する。
【００２０】
賞品特定手段１ｇは、懸賞の当選番号を用いてカード情報記憶手段１ｂを参照し、懸賞に当選した抽選番号を取得する。そして、賞品情報記憶手段１ｃを参照し、取得した抽選番号に含まれる地域コードに応じた賞品を、カード情報記憶手段１ｂでこの抽選番号に対応付けられた受取人への賞品として特定する。
【００２１】
このように構成されるサービス提供装置１では、懸賞の当選が確定した後、当選した抽選番号に含まれる地域コードに応じて、受取人への賞品が特定される。
以下、このような処理内容について説明する。
【００２２】
受取人情報取得手段１ｄは、グリーティングカードの受取人に関する情報を差出人から取得する。
地域コード取得手段１ｅは、地域情報記憶手段１ａを参照し、上記差出人に関する地域に割り振られている地域コードを取得する。
【００２３】
抽選番号採番手段１ｆは、地域コード取得手段１ｅによって取得された地域コードを含む抽選番号を採番し、その抽選番号と受取人とを対応付けてカード情報記憶手段１ｂに格納する。
【００２４】
ここで、上記のように抽選番号が採番されると、その抽選番号がグリーティングカードに印刷され、さらに、差出人によって作成された文面や受取人の住所などが印刷されて受取人に発送されるものとする。その後、懸賞の当選番号が確定する。
【００２５】
賞品特定手段１ｇは、当選番号を用いてカード情報記憶手段１ｂを参照し、グリーティングカードの懸賞に当選した抽選番号を取得する。そして、賞品情報記憶手段１ｃを参照し、取得した抽選番号に含まれる地域コードに応じた賞品を、カード情報記憶手段１ｂでこの抽選番号に対応付けられた受取人への賞品として特定する。なお、特定された賞品は、受取人の住所などに発送される。
【００２６】
このように、グリーティングカードの差出人に関する地域に割り振られている地域コードを含む抽選番号を採番し、この抽選番号と受取人とを対応付けておく。そして、当選が確定した後、当選した抽選番号に含まれる地域コードに応じた賞品を、その抽選番号に対応付けられた受取人の賞品として特定するようにした。このようにすることで、受取人に提供する賞品に対して、差出人に関する地域との関連性を持たせることができる。
【００２７】
次に、本発明の実施の形態を具体的に説明する。なお、以下では、グリーティングカードとして年賀状を使用した場合を例に採って説明する。
図２は、本発明を適用した年賀状サービスのシステム構成を示す図である。本実施の形態では、年賀状に関するサービスに必要な情報が年賀状サービスセンタ２０に集約される。
【００２８】
図２に示すように、年賀状サービスセンタ２０には、サービス提供サーバ１００が設置されている。このサービス提供サーバ１００には、例えばインターネットなどのネットワーク４００を介して、差出人端末３１及び受取人端末４１，４２が接続される。なお、実際には、差出人及び受取人の人数に応じた差出人端末及び受取人端末がそれぞれ接続される。
【００２９】
年賀状サービスセンタ２０は、内部に設置されたサービス提供サーバ１００によって、年賀状サービスに必要な情報を集約する。また、年賀状の発送や年賀状の懸賞に用意された賞品の管理及び発送などを行う。
【００３０】
差出人端末３１及び受取人端末４１，４２は、それぞれ年賀状の差出人３１ａ及び受取人４１ａ，４２ａが利用する端末である。これらの端末には、例えばＰＤＡ（Personal Digital Assistants）やパーソナルコンピュータなどを用いることができる。
【００３１】
サービス提供サーバ１００は、その内部に保持される地域管理テーブル１１１、年賀状ＤＢ（データベース）１１４、及び賞品ＤＢ１１５などを用いて、年賀状サービスに必要な情報を集約する。
【００３２】
地域管理テーブル１１１には、本実施の形態では、予め都道府県毎に地域コードが割り振られて登録されている。また、年賀状ＤＢ１１４には、差出人毎に、差出人から取得した受取人情報及びそれに対して採番された抽選番号などが対応付けられて格納される。また、賞品ＤＢ１１５には、地域コード毎に年賀状の懸賞に用意された賞品が予め登録されている。本実施の形態では、賞品ＤＢ１１５には、地域の特色を生かした賞品が懸賞の等級毎にそれぞれ登録される。なお、等級によっては複数の賞品が登録される。
【００３３】
ここで、本実施の形態では、差出人端末３１を利用する差出人３１ａが、受取人端末４１，４２を利用する受取人４１ａ，４２ａに対して年賀状を送るものとする。
このような場合、上記のように構成されたシステムでは、差出人端末３１からは、受取人端末４１，４２を利用する受取人４１ａ，４２ａの氏名や住所などを含む受取人情報が送信される。
【００３４】
サービス提供サーバ１００は、差出人端末３１から受取人４１ａに関する受取人情報を取得すると、差出人端末３１に対して、差出人に関する都道府県を示す差出人地域を差出人３１ａが直接指定するかどうかの要求を行う。この要求の結果を受けて、サービス提供サーバ１００は、差出人３１ａが差出人地域を直接指定しない場合には、差出人３１ａが居住している都道府県を差出人地域とする。また、差出人３１ａが差出人地域を直接指定する場合には、差出人３１ａから指定された都道府県を差出人地域とする。そして、地域管理テーブル１１１を参照して、差出人地域に割り振られている地域コードを取得する。
【００３５】
その後、サービス提供サーバ１００は、上記地域コードを含む抽選番号を採番し、その抽選番号と、差出人端末３１から取得した受取人情報とを対応付けて年賀状ＤＢ１１４に格納する。その後、採番された抽選番号と共に、受取人４１ａの住所や差出人によって指定された文面などを年賀状５１に印刷する。印刷された年賀状５１は、年賀状サービスセンタ２０から受取人４１ａに発送される。
【００３６】
なお、上記では受取人４１ａに関する受取人情報を取得した場合について説明したが、受取人４２ａに関する受取人情報に対しても同様の処理が行われ、受取人４２ａに対しては、その受取人４２ａの住所などが印刷された年賀状５２が発送される。
【００３７】
この後、サービス提供サーバ１００は、年賀状の懸賞での当選番号を決定する。そして、その当選番号を用いて年賀状ＤＢ１１４を参照し、登録されている抽選番号が当選しているかどうかを判断して、当選した抽選番号を取得する。その後、賞品ＤＢ１１５を参照し、当選した抽選番号に含まれる地域コードに応じた賞品を特定する。
【００３８】
ここで、本実施の形態では、受取人４２ａが受け取った年賀状５２が当選したものとする。
この場合、サービス提供サーバ１００は、年賀状ＤＢ１１４を参照した際に、受取人４２ａに関する受取人情報と対応付けられた抽選番号を、当選した抽選番号として取得する。そして、賞品ＤＢ１１５を参照し、取得した抽選番号に含まれる地域コードに応じた賞品を、受取人４２ａへの賞品として特定する。
【００３９】
その後、懸賞の当選を特定された賞品と共に受取人端末４２に通知する。なお、当選した等級に応じて賞品が複数特定された場合には、例えば賞品選択用のＷｅｂページ上などで、特定された賞品の一覧を表示する。また、図示しないが、差出人端末３１にも受取人４２ａの当選を通知する。ここでは、賞品が複数特定されたものとすると、受取人４２ａは賞品の一覧から希望の賞品を選択し、選択された賞品がサービス提供サーバ１００に通知される。この後、受取人４２ａの希望した賞品５３が、年賀状サービスセンタ２０から受取人４２ａに発送される。
【００４０】
このようにして、当選した受取人４２ａに提供する賞品５３に対して、差出人３１ａが居住している都道府県や直接指定された都道府県の特色を生かすことが可能となる。
以下、図２に示した処理の実現方法について具体的に説明する。
【００４１】
図３は、本発明の実施の形態に用いるサービス提供サーバのハードウェア構成例を示す図である。
サービス提供サーバ１００は、ＣＰＵ（Central Processing Unit）１０１によって装置全体が制御されている。ＣＰＵ１０１には、バス１０８を介して、ＲＯＭ（Read Only Memory）１０２、ＲＡＭ（Random Access Memory）１０３、ハードディスクドライブ（HDD:Hard Disk Drive）１０４、グラフィック処理装置１０５、入力インターフェース１０６、及び通信インターフェース１０７が接続されている。
【００４２】
ＲＯＭ１０２には、ＣＰＵ１０１が実行する基本的なプログラムやデータが格納される。ＲＡＭ１０３には、ＣＰＵ１０１に実行させるＯＳ（Operating System）のプログラムやアプリケーションプログラムの少なくとも一部が一時的に格納される。また、ＲＡＭ１０３には、ＣＰＵ１０１による処理に必要な各種データが格納される。ＨＤＤ１０４には、ＯＳやアプリケーションプログラムが格納される。
【００４３】
グラフィック処理装置１０５には、表示装置１１が接続されている。グラフィック処理装置１０５は、ＣＰＵ１０１からの命令に従って、画像を表示装置１１の画面に表示させる。入力インターフェース１０６は、マウス１２やキーボード１３から送られてくる信号を、バス１０８を介してＣＰＵ１０１に送信する。
【００４４】
通信インターフェース１０７は、ネットワーク４００を介して、他の装置とのデータの送受信を行う。
以上のようなハードウェア構成によって、本実施の形態の処理機能を実現することができる。
【００４５】
次に、本実施の形態を実施するためにサービス提供サーバ１００が備える機能について説明する。
図４は、サービス提供サーバの機能を示す機能ブロック図である。
【００４６】
サービス提供サーバ１００は、地域管理テーブル１１１、抽選番号管理テーブル１１２、差出人ＤＢ１１３、年賀状ＤＢ１１４、賞品ＤＢ１１５、差出人認証／登録部１２１、受取人情報取得部１２２、地域コード取得部１２３、抽選番号採番部１２４、年賀状作成処理部１２５、当選確定部１２６、賞品特定部１２７、当選通知／受付部１２８、及び賞品発送処理部１２９を有している。
【００４７】
地域管理テーブル１１１には、都道府県毎に地域コードが割り振られて登録されている。本実施の形態では、各都道府県は、各々に郵便番号が割り振られた区域によって構成されるものとする。この区域は、例えば郵便番号が一意に割り振られた町域を示す。地域管理テーブル１１１には、さらに都道府県毎に、構成する各区域にそれぞれ割り振られた郵便番号の範囲を示す情報として、その都道府県での郵便番号の上３桁の上限値と下限値とが登録される。
【００４８】
抽選番号管理テーブル１１２には、地域コード毎に発行された年賀状の枚数が格納される。
差出人ＤＢ１１３には、差出人を識別する差出人ＩＤ毎に、差出人の氏名、電子メールアドレス、住所、及び差出人が居住する区域に割り振られている郵便番号など、差出人に関する情報が格納される。
【００４９】
年賀状ＤＢ１１４には、差出人ＩＤ毎に、差出人端末から取得した受取人情報や採番された抽選番号などが、受取人の人数に応じて登録される。なお、受取人情報には、受取人の氏名、住所、及び電子メールアドレスなどが含まれる。
【００５０】
賞品ＤＢ１１５には、地域コード毎に、懸賞に用意された賞品についての情報が登録されている。本実施の形態では、等級毎に用意された賞品の内容や当選本数などが登録されている。
【００５１】
差出人認証／登録部１２１は、差出人端末からのアクセスを受け付けて、初回利用の場合には、その差出人についての情報を差出人ＤＢ１１３に登録する。また、初回利用でない場合には、差出人ＤＢ１１３を参照し、その差出人の認証を行う。
【００５２】
受取人情報取得部１２２は、差出人端末から年賀状の受取人に関する受取人情報を取得
する。
地域コード取得部１２３は、差出人端末に対して、差出人が差出人地域を直接指定するかどうかの要求を行う。この結果を受けて、差出人が差出人地域を直接指定しない場合には、差出人ＤＢ１１３を参照し、その差出人に対応付けられた郵便番号を取得する。そして、地域管理テーブル１１１を参照し、取得した郵便番号が上述した郵便番号の範囲に含まれる都道府県を差出人地域として、その差出人地域に割り振られている地域コードを取得する。また、差出人が差出人地域を直接指定する場合には、地域管理テーブル１１１を参照し、差出人端末から指定された都道府県に割り振られている地域コードを取得する。
【００５３】
抽選番号採番部１２４は、抽選番号管理テーブル１１２を参照し、地域コード取得部１２３が取得した地域コードを含む抽選番号を採番した後、抽選番号管理テーブル１１２の上記地域コードに対応付けられた発行枚数を１枚増やす。そして、採番された抽選番号と、受取人情報取得部が取得した受取人情報とを対応付けて年賀状ＤＢ１１４に格納する。
【００５４】
年賀状作成処理部１２５は、差出人端末からの入力に応じて、年賀状の文面などを作成する。また、年賀状ＤＢ１１４を参照し、その年賀状の受取人の住所を取得する。その後、抽選番号採番部１２４によって採番された抽選番号と共に、作成された文面や受取人の住所などを年賀状に印刷する。
【００５５】
当選確定部１２６は、所定の期日になると、年賀状の懸賞に当選した当選番号を確定する。本実施の形態では、都道府県毎に、懸賞の各等級に応じた当選番号を確定する。
賞品特定部１２７は、当選確定部１２６が確定した当選番号を用いて年賀状ＤＢ１１４を参照する。そして、登録されている抽選番号が当選しているかどうかを判断し、抽選番号が当選していれば、その抽選番号を取得する。その後、賞品ＤＢ１１５を参照し、取得した抽選番号に含まれる地域コードに応じた賞品を特定する。なお、この時、当選した等級に応じた賞品を特定する。
【００５６】
当選通知／受付部１２８は、年賀状ＤＢ１１４を参照し、賞品が当選した受取人の電子メールアドレスを取得する。また、差出人ＤＢを参照し、差出人の電子メールアドレスを取得する。その後、受取人の電子メールアドレス宛てに、賞品特定部１２７によって特定された賞品の当選を通知する電子メールを送信する。また、差出人の電子メールアドレス宛てには、受取人の当選を通知する電子メールを送信する。なお、特定された賞品が複数の場合には、受取人が選択した賞品を受取人端末から受け取り、受取人が選択した賞品についての情報を年賀状ＤＢ１１４に格納する。
【００５７】
賞品発送処理部１２９は、年賀状ＤＢ１１４を参照して受取人の住所を取得し、受取人に対して賞品を発送する処理を行う。
次に、サービス提供サーバ１００に保持される各データベースのデータ構造例について説明する。
【００５８】
図５は、地域管理テーブルのデータ構造例を示す図である。
図５に示すように、地域管理テーブル１１１は、「地域コード」、「地域名」、及び「郵便番号範囲」の各項目によって構成される。
【００５９】
「地域コード」及び「地域名」には、本実施の形態では、各都道府県に対して一意となるように割り振られた番号、及び対応する都道府県がそれぞれ登録される。
「郵便番号範囲」には、各都道府県での郵便番号の範囲が登録され、「下限値」及び「上限値」の各項目を有している。これらの項目には、都道府県での郵便番号の上３桁の下限値、及び上限値がそれぞれ登録される。図５の例では、例えば北海道に対して、北海道での郵便番号の下限値として「００１」が登録され、上限値として「００７」が登録される。
【００６０】
図６は、抽選番号管理テーブルのデータ構成例を示す図である。
図６に示すように、抽選番号管理テーブル１１２は、「地域コード」及び「発行枚数」の各項目によって構成される。
【００６１】
「発行枚数」には、対応する地域コードを含む抽選番号が採番される毎に、１ずつ増加した数が登録される。これにより、対応する地域コードが含まれる抽選番号が印刷された年賀状の発行枚数が登録される。
【００６２】
図７は、差出人ＤＢのデータ構成例を示す図である。
図７に示すように、差出人ＤＢ１１３は、「差出人ＩＤ」、「パスワード」、「氏名」、「電子メールアドレス」、「郵便番号」、及び「住所」の各項目によって構成される。
【００６３】
「差出人ＩＤ」及び「パスワード」には、差出人に発行された差出人ＩＤ及びパスワードがそれぞれ登録される。
「氏名」、「電子メールアドレス」、「郵便番号」、及び「住所」には、差出人の氏名、電子メールアドレス、差出人が居住する区域に割り振られている郵便番号、及び住所がそれぞれ登録される。なお、これらの各項目に登録される情報は、差出人の登録時に差出人端末から送られる差出人情報に含まれる。
【００６４】
図８は、年賀状ＤＢのデータ構成例を示す図である。
図８に示すように、年賀状ＤＢ１１４は、「差出人ＩＤ」、「抽選番号」、「宛名」、「電子メールアドレス」、「郵便番号」、「住所」、「当選等級」、「選択賞品」、及び「文面データ」の各項目によって構成される。
【００６５】
「宛名」、「電子メールアドレス」、「郵便番号」、及び「住所」には、「差出人ＩＤ」に登録された差出人ＩＤ毎に、その差出人ＩＤを有する差出人が指定した各受取人に対して、受取人の氏名、電子メールアドレス、郵便番号、及び住所がそれぞれ登録される。なお、これらの各項目に登録される情報は、差出人端末から取得した受取人情報に含まれる。
【００６６】
「抽選番号」には、受取人に対して採番された抽選番号が格納される。
「当選等級」には、受取人が懸賞に当選した場合、当選した賞品の等級が格納され、「選択賞品」には、懸賞に当選した受取人に対して複数の賞品が特定された場合、受取人が選択した賞品が登録される。なお、懸賞に外れた場合、これらの各項目には「０」が格納される。
【００６７】
「文面データ」には、受取人への年賀状に使用された図案コードやテキストデータなどが格納される。
図９は、賞品ＤＢのデータ構成例を示す図である。
【００６８】
図９に示すように、賞品ＤＢ１１５は、「地域コード」、「等級」、「当選本数」、「賞品種類数」、及び「賞品」の各項目によって構成される。
「等級」には、「地域コード」に登録された地域コード毎に、懸賞の等級が登録される。
【００６９】
「当選本数」には、各等級に応じた賞品の当選本数が格納され、「賞品種類数」には、同じ等級内で選択可能な賞品の数が登録される。
「賞品」には、各等級に応じた賞品の内容が格納される。本実施の形態では、「賞品１」及び「賞品２」の各項目を有しており、等級によっては２種類の賞品が特定される。このようにすることで、同一等級で選択可能な賞品を最大で２種類用意することが可能となり、受取人の選択肢が広がるという利点がある。なお、さらに複数の項目を設け、選択できる賞品の種類を増やしてもよい。
【００７０】
本実施の形態では、「賞品」には、都道府県の特色を生かした賞品が登録される。例えば地域コード「１」（北海道に該当する）に対しては、「北海道一周の旅」や「蟹づくしセット」など、北海道の特色を生かした賞品が登録される。
【００７１】
以上のように構成されるサービス提供サーバ１００によって、受取人への賞品に対して、差出人が居住する都道府県などの特色を生かすことができる。
次に、このようなサービスを提供するにあたって、サービス提供サーバ１００の行う処理動作について説明する。
【００７２】
本実施の形態のサービス提供サーバ１００が行う処理は、大別して、差出人からのアクセスを受け付け、指定された受取人に対する年賀状を作成する年賀状作成処理と、当選番号を用いて賞品を特定し、受取人及び差出人に当選を通知する年賀状当選処理と、賞品を発送するための賞品発送処理とに分けられる。以下、これらの各処理について順に説明する。
【００７３】
図１０は、年賀状作成処理の処理手順を示すフローチャートである。以下、図１０に示す処理をステップ番号に沿って説明する。
［ステップＳ１１］差出人認証／登録部１２１は、差出人端末からのアクセスを受け付ける。そして、差出人が初回利用の場合には、ステップＳ１２に処理を進め、初回利用ではない場合には、ステップＳ１３に処理を進める。
【００７４】
［ステップＳ１２］差出人認証／登録部１２１は、差出人端末から、差出人の氏名、電子メールアドレス、郵便番号、及び住所を含む差出人情報を取得する。なお、この差出人情報に含まれる内容には、例えば差出人端末に表示される所定の登録画面上に入力されたデータが反映される。その後、差出人に対して差出人ＩＤ及びパスワードを発行する。そして、差出人ＤＢ１１３を参照し、発行された差出人ＩＤ及びパスワードと、取得した差出人情報に含まれる内容とを、差出人ＤＢ１１３の対応する各項目に格納する。その後、ステップＳ１５に処理を進める。
【００７５】
［ステップＳ１３］差出人認証／登録部１２１は、差出人の差出人ＩＤ及びパスワードの入力を受け付け、差出人端末からこれらの情報を取得する。そして、ステップＳ１４に処理を進める。
【００７６】
［ステップＳ１４］差出人認証／登録部１２１は、取得した差出人ＩＤ及びパスワードを用いて差出人ＤＢ１１３を参照し、これらの情報が差出人ＤＢ１１３に登録されている内容と一致しているかどうかを調べる。一致していれば、ステップＳ１５に処理を進め、一致していなければ、ステップＳ１３に処理を進め、再度差出人ＩＤ及びパスワードの入力を受け付ける。
【００７７】
［ステップＳ１５］受取人情報取得部１２２は、受取人情報の入力を受け付け、受取人の氏名、電子メールアドレス、郵便番号、及び住所を含む受取人情報を差出人端末から取得する。そして、ステップＳ１６に処理を進める。
【００７８】
［ステップＳ１６］地域コード取得部１２３は、差出人端末に対して、差出人が差出人地域を直接指定するかどうかの要求を行う。そして、この要求の結果を受けて、差出人が差出人地域を直接指定しない場合には、ステップＳ１７に処理を進め、直接指定する場合には、ステップＳ１８に処理を進める。
【００７９】
［ステップＳ１７］地域コード取得部１２３は、ステップＳ１３で差出人認証／登録部１２１が取得した差出人ＩＤを用いて差出人ＤＢ１１３を参照し、この差出人ＩＤに対応付けられた郵便番号を取得する。そして、地域管理テーブル１１１の「郵便番号範囲」を参照し、取得した郵便番号の上３桁が含まれるレコードを選択する。その後、選択されたレコードの地域コードを取得して抽選番号採番部１２４に渡し、ステップＳ１９に処理を進める。
【００８０】
［ステップＳ１８］地域コード取得部１２３は、例えば差出人端末の所定の画面上に都道府県のリストを表示するなどして、差出人に都道府県を選択させる。そして、地域管理テーブル１１１を参照し、差出人によって指定された都道府県に割り振られている地域コードを取得して抽選番号採番部１２４に渡す。その後、ステップＳ１９に処理を進める。
【００８１】
［ステップＳ１９］抽選番号採番部１２４は、抽選番号管理テーブル１１２を参照し、地域コード取得部１２３から渡された地域コードを含む抽選番号を採番する。本実施の形態では、上記地域コードと、この地域コードと同一レコードの「発行枚数」に登録されている数から１つ増やした数とを組み合わせて抽選番号とする。この後、抽選番号管理テーブル１１２の上記レコードの「発行枚数」の値を１つ増やす。
【００８２】
そして、採番された抽選番号と、ステップＳ１５で受取人情報取得部１２２が取得した受取人情報に含まれる各情報とを、年賀状ＤＢ１１４の上記差出人ＩＤに対応付けられたレコードの対応する各項目に格納する。そして、ステップＳ２０に処理を進める。
【００８３】
［ステップＳ２０］年賀状作成処理部１２５は、差出人端末からの入力に応じて年賀状の文面などを作成し、年賀状ＤＢ１１４の上記レコードの「文面データ」に作成された文面データなどを格納すると共に、上記レコードの「郵便番号」及び「住所」に格納された情報をそれぞれ取得する。そして、取得した郵便番号及び住所、ステップＳ１９で抽選番号採番部１２４によって採番された抽選番号、並びに作成された文面などを年賀状に印刷した後、ステップＳ２１に処理を進める。
【００８４】
［ステップＳ２１］年賀状作成処理部１２５は、差出人端末に対して処理を終了するかどうかを尋ねる。その結果、終了するのであれば年賀状作成処理を終了し、終了するのでなければステップＳ１５に処理を進める。
【００８５】
以上の処理により、差出人端末から取得した受取人情報毎に抽選番号が採番され、その抽選番号や受取人の住所などが年賀状に印刷される。なお、印刷された年賀状は、年賀状サービスセンタ２０から受取人宛てに発送される。このように、抽選番号を採番する毎に年賀状に印刷することで、余分な年賀状の発行が防止されるという利点がある。
【００８６】
以下、上述の図２に示した内容を用いて、上記処理を具体的に説明する。
例えば、差出人３１ａに対して、差出人ＩＤ「５１５２２５」が発行されているものとする。この差出人３１ａに関する情報は、図７に示す差出人ＤＢ１１３の１番目のレコードに登録されている。
【００８７】
まず、差出人端末３１から受取人４１ａに対する受取人情報が送信される。これに対して、差出人３１ａは差出人地域を直接指定しないものとする。この場合、図５に示す地域管理テーブル１１１から、差出人３１ａの郵便番号「１１４−００５１」の上３桁「１１４」が「郵便番号範囲」に含まれるレコードとして、東京が登録されたレコードが選択される。そして、東京に割り振られている地域コード「１０」を含む抽選番号「１０−３１３１１６」が採番され、図８に示す年賀状ＤＢ１１４の１番目のレコードに、受取人４１ａの受取人情報と上記抽選番号とが格納される。その後、受取人４１ａ宛てに上記抽選番号が印刷された年賀状５１が発送される。
【００８８】
同様に、受取人４２ａに対する受取人情報が差出人端末３１から送信される。これに対して、差出人３１ａは、差出人３１ａの年末年始の旅行先である北海道を差出人地域として指定したものとする。この場合、図５に示す地域管理テーブル１１１から、北海道に割り振られている地域コード「１」が取得される。そして、図６に示す抽選番号管理テーブル１１２では、北海道に対して「１２３４５６７」枚が発行されているので、この数から１つ増やした数と地域コード「１」とを組み合わせた抽選番号「１−１２３４５６８」が採番される。その後、図８に示す年賀状ＤＢ１１４の２番目のレコードに、受取人４２ａの受取人情報と上記抽選番号とが格納される。そして、受取人４２ａ宛てに上記抽選番号が印刷された年賀状５２が発送される。
【００８９】
次に、年賀状当選処理について説明する。
図１１は、年賀状当選処理の処理手順を示すフローチャートである。以下、図１１に示す処理をステップ番号に沿って説明する。
【００９０】
［ステップＳ３１］当選確定部１２６は、所定の期日になると、都道府県毎に年賀状の懸賞の各等級に当選した当選番号をそれぞれ確定する。そして、賞品特定部１２７に確定された当選番号を渡す。この時、当選番号と共にその等級も通知される。その後、ステップＳ３２に処理を進める。
【００９１】
［ステップＳ３２］賞品特定部１２７は、渡された当選番号を用いて、年賀状ＤＢ１１４の「抽選番号」を参照する。そして、そこに登録されている抽選番号が当選しているかどうかを判断し、当選している抽選番号を取得する。例えば、下４桁の番号が当選番号として確定した場合、下４桁の番号がその番号と一致している抽選番号を、当選した抽選番号とする。その後、賞品ＤＢ１１５の「地域コード」を参照して、取得した抽選番号に含まれる地域コードと一致するレコードを選択し、さらに「等級」が上記当選番号の等級と一致するレコードを選択する。そして、そのレコードの「賞品」に登録されている賞品を、年賀状ＤＢ１１４で上記抽選番号と同じレコードに情報が格納されている受取人への賞品として特定し、ステップＳ３３に処理を進める。
【００９２】
［ステップＳ３３］当選通知／受付部１２８は、年賀状ＤＢ１１４を参照し、上記抽選番号と同じレコードの「差出人ＩＤ」及び「電子メールアドレス」に格納された差出人ＩＤ及び受取人の電子メールアドレスをそれぞれ取得する。そして、差出人ＤＢ１１３の「差出人ＩＤ」を参照し、取得した差出人ＩＤと一致するレコードの「電子メールアドレス」に格納された差出人の電子メールアドレスを取得する。
【００９３】
その後、上記で取得した受取人の電子メールアドレス宛てに電子メールを作成すると共に、賞品ＤＢ１１５の「賞品種類数」を参照し、ステップＳ３２で特定された賞品と同じレコードに格納された値が「１」かどうか調べる。
【００９４】
「１」である場合は、作成された電子メールに、当選した抽選番号などを含む懸賞当選の旨と賞品特定部１２７によって特定された賞品とを記載する。
「１」以外である場合は、作成された電子メールに、当選した抽選番号などを含む懸賞当選の旨に加えて、例えば賞品選択用のＷｅｂページを示すＵＲＬ（Uniform Resource Locator）などを記載する。
【００９５】
また、上記で取得した差出人の電子メールアドレス宛てに電子メールを作成し、受取人が当選した旨を記載する。
そして、上記のように作成された電子メールをそれぞれ送信し、年賀状当選処理を終了する。
【００９６】
続いて、賞品発送処理について説明する。
図１２は、賞品発送処理の処理手順を示すフローチャートである。以下、図１２に示す処理をステップ番号に沿って説明する。
【００９７】
［ステップＳ４１］当選通知／受付部１２８は、上記「賞品種類数」が「１」であった場合には、図１１のステップＳ３２で特定された賞品を賞品発送処理部１２９に渡す。また、上記「賞品種類数」が「１」以外であった場合には、上記電子メールに記載されたＵＲＬに対する受取人端末からのアクセスを受け付け、受取人端末に賞品選択用のＷｅｂページを表示させる。その後、受取人が上記Ｗｅｂページの所定の入力項目などに当選した抽選番号を入力すると、特定された賞品の一覧が、例えばリスト形式で表示される。受取人が希望の賞品を選択すると、選択された賞品が当選通知／受付部１２８に通知される。そして、当選通知／受付部１２８は、通知された賞品を賞品発送処理部１２９に渡す。また、これと共に、年賀状ＤＢ１１４の「選択賞品」に選択された賞品に対応する値を格納する。本実施の形態では、賞品ＤＢ１１５の「賞品１」に格納された賞品が選択された場合には「１」が格納され、「賞品２」に格納された賞品が選択された場合には「２」が格納される。その後、ステップＳ４２に処理を進める。
【００９８】
［ステップＳ４２］賞品発送処理部１２９は、年賀状ＤＢ１１４の「郵便番号」及び「住所」を参照して、受取人の郵便番号及び住所を取得する。そして、これらの情報と当選通知／受付部１２８から渡された賞品とを、年賀状サービスセンタ２０に通知するなどして、賞品を発送するための処理を行う。その後、賞品発送処理を終了する。
【００９９】
以上の処理により、当選した受取人に応じて賞品が特定され、賞品の当選を通知する電子メールが受取人及び差出人双方に通知される。その後、受取人に賞品を発送するための処理が行われる。
【０１００】
以下、上述の図２に示した内容を用いて、上記処理を具体的に説明する。
例えば、北海道に対して、抽選番号「１−１２３４５６８」が等級「２」の当選番号として確定されたものとする。
【０１０１】
この時、図８に示す年賀状ＤＢ１１４の２番目のレコード（受取人４２ａの情報を格納する）に格納された抽選番号「１−１２３４５６８」が、等級「２」に当選した抽選番号として取得される。そして、図９に示す賞品ＤＢ１１５では、上記抽選番号に含まれる地域コード「１」の等級「２」に対応付けられた各賞品「海の幸セット」、「蟹づくしセット」が、受取人４２ａへの賞品として特定される。
【０１０２】
そして、受取人４２ａの電子メールアドレス「ｓａｋａｍｏｔｏ＠ｂｂ．ｃｏｍ」宛ての電子メール、及び差出人３１ａの電子メールアドレス「ｅｉｋｏ＠ａａ．ｃｏ．ｊｐ」宛ての電子メールがそれぞれ送信され、受取人４２ａ及び差出人３１ａに対して当選が通知される。これに対して、受取人４２ａが「海の幸セット」を選択したものとすると、年賀状サービスセンタ２０から受取人４２ａに対して、「海の幸セット」が賞品５３として発送される。
【０１０３】
以上説明したように、本実施の形態のサービス提供サーバ１００は、賞品ＤＢ１１５に各都道府県の特色を生かした賞品を予め登録しておく。そして、差出人地域に割り振られている地域コードを含む抽選番号と受取人情報とを対応付けて年賀状ＤＢ１１４に格納し、当選確定後、当選した抽選番号に含まれる地域コードに応じた賞品を、年賀状ＤＢ１１４でその抽選番号に対応付けられた受取人に提供する賞品として特定するようにした。このようにすることで、当選した受取人４２ａに提供する賞品５３に対して、受取人４２ａに年賀状５２を送った差出人３１ａに関する都道府県の特色を生かすことが可能となる。
【０１０４】
また、差出人が差出人地域を直接指定するか否かを選択するようにしたことで、郵便番号に基づいて決定された差出人３１ａの居住する都道府県の他に、例えば差出人３１ａのふるさとや上述の例に示した差出人３１ａの旅行先など、差出人３１ａの方で自由に指定することも可能となり、差出人３１ａの要求に応じて柔軟に対応することができる。
【０１０５】
なお、上記では年賀状を用いて説明したが、暑中見舞いはがきなどを用いてもよい。
また、上記の説明では、年賀状に対して、採番された抽選番号以外にも文面や受取人の住所など必要な項目を一通り印刷し、そのまま受取人に発送するようにしたが、採番された抽選番号のみを印刷して差出人に発送するようにしてもよい。この場合、差出人が自ら文面や受取人の住所などを印刷し、受取人に発送する。
【０１０６】
また、上記の説明では、地域管理テーブル１１１に設定する地域として都道府県を用いたが、例えばハワイなど海外の地域を加えてもよい。さらに、地域以外の選択肢として、賞品を提供するスポンサーなども含めるようにしてもよい。
【０１０７】
なお、上記の処理機能は、サーバコンピュータによって実現することができる。その場合、サービス提供サーバが有すべき機能の処理内容を記述したサービス提供プログラムが提供される。サーバコンピュータは、クライアントコンピュータからの要求に応答して、サービス提供プログラムを実行する。これにより、上記処理機能がサーバコンピュータ上で実現され、処理結果がクライアントコンピュータに提供される。
【０１０８】
処理内容を記述したサービス提供プログラムは、サーバコンピュータで読み取り可能な記録媒体に記録しておくことができる。サーバコンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）などがある。光磁気記録媒体には、ＭＯ（Magneto-Optical disk）などがある。
【０１０９】
サービス提供プログラムを流通させる場合には、例えば、そのサービス提供プログラムが記録されたＤＶＤ、ＣＤ−ＲＯＭなどの可搬型記録媒体が販売される。
サービス提供プログラムを実行するサーバコンピュータは、例えば、可搬型記録媒体に記録されたサービス提供プログラムを、自己の記憶装置に格納する。そして、サーバコンピュータは、自己の記憶装置からサービス提供プログラムを読み取り、サービス提供プログラムに従った処理を実行する。なお、サーバコンピュータは、可搬型記録媒体から直接サービス提供プログラムを読み取り、そのプログラムに従った処理を実行することもできる。
【０１１０】
（付記１）  紙葉からなり、懸賞が付加されたグリーティングカードにおけるサービスを提供するサービス提供方法において、
受取人情報取得手段が、前記グリーティングカードの受取人に関する情報を差出人から取得する受取人情報取得ステップと、
地域コード取得手段が、予め設定された地域毎に地域コードが割り振られて登録されている地域情報記憶手段を参照して、前記差出人に関する地域を示す差出人地域に割り振られている前記地域コードを取得する地域コード取得ステップと、
抽選番号採番手段が、前記地域コード取得手段において取得された前記地域コードを含む抽選番号を採番し、前記抽選番号と前記受取人とを対応付けてカード情報記憶手段に格納する抽選番号採番ステップと、
賞品特定手段が、前記懸賞における当選番号を用いて前記カード情報記憶手段を参照して、前記懸賞に当選した前記抽選番号を取得し、地域コード毎に前記懸賞の賞品が予め登録されている賞品情報記憶手段を参照して、取得した前記抽選番号に含まれる前記地域コードに応じた前記賞品を、前記カード情報記憶手段において取得した前記抽選番号に対応付けられた前記受取人への前記賞品として特定する賞品特定ステップと、
を有することを特徴とするサービス提供方法。
【０１１１】
（付記２）  前記地域は各々に区域コードが割り振られている複数の区域によって構成され、前記地域情報記憶手段には、さらに前記地域毎に前記地域を構成する前記区域に割り振られている前記区域コードの範囲を示す範囲情報が登録されており、前記地域コード取得ステップでは、前記地域コード取得手段が、前記差出人に前記差出人地域を指定するか否かの要求を行い、前記差出人が前記差出人地域を指定しない場合には、前記差出人毎に前記差出人が居住する前記区域に割り振られている前記区域コードが予め登録されている差出人情報記憶手段を参照して、前記差出人に応じた前記区域コードを取得し、前記地域情報記憶手段を参照して、取得した前記区域コードが含まれる前記範囲情報に対応付けられた前記地域を前記差出人地域とし、前記差出人が前記差出人地域を指定する場合には、前記差出人から指定された前記地域を前記差出人地域とすることを特徴とする付記１記載のサービス提供方法。
【０１１２】
（付記３）  前記区域コードには郵便番号を用いることを特徴とする付記２記載のサービス提供方法。
（付記４）  前記抽選番号採番ステップの後、カード印刷手段が、採番された前記抽選番号を前記グリーティングカードに印刷するカード印刷ステップをさらに有することを特徴とする付記１記載のサービス提供方法。
【０１１３】
（付記５）  前記賞品情報記憶手段には地域コード毎に複数の前記賞品が登録されており、前記賞品特定ステップでは、取得した前記抽選番号に含まれる前記地域コードに応じた複数の前記賞品を、前記カード情報記憶手段において取得した前記抽選番号に対応付けられた前記受取人への前記賞品として特定することを特徴とする付記１記載のサービス提供方法。
【０１１４】
（付記６）  前記賞品特定ステップの後、前記賞品の当選を前記受取人に通知する当選通知ステップをさらに有することを特徴とする付記１記載のサービス提供方法。
（付記７）  紙葉からなり、懸賞が付加されたグリーティングカードにおけるサービスを提供するサービス提供プログラムにおいて、
コンピュータを、
前記グリーティングカードの受取人に関する情報を差出人から取得する受取人情報取得手段、
予め設定された地域毎に地域コードが割り振られて登録されている地域情報記憶手段を参照して、前記差出人に関する地域を示す差出人地域に割り振られている前記地域コードを取得する地域コード取得手段、
前記地域コード取得手段において取得された前記地域コードを含む抽選番号を採番し、前記抽選番号と前記受取人とを対応付けてカード情報記憶手段に格納する抽選番号採番手段、
前記懸賞における当選番号を用いて前記カード情報記憶手段を参照して、前記懸賞に当選した前記抽選番号を取得し、地域コード毎に前記懸賞の賞品が予め登録されている賞品情報記憶手段を参照して、取得した前記抽選番号に含まれる前記地域コードに応じた前記賞品を、前記カード情報記憶手段において取得した前記抽選番号に対応付けられた前記受取人への前記賞品として特定する賞品特定手段、
として機能させることを特徴とするサービス提供プログラム。
【０１１５】
（付記８）  前記地域は各々に区域コードが割り振られている複数の区域によって構成され、前記地域情報記憶手段には、さらに前記地域毎に前記地域を構成する前記区域に割り振られている前記区域コードの範囲を示す範囲情報が登録されており、前記地域コード取得手段は、前記差出人に前記差出人地域を指定するか否かの要求を行い、前記差出人が前記差出人地域を指定しない場合には、前記差出人毎に前記差出人が居住する前記区域に割り振られている前記区域コードが予め登録されている差出人情報記憶手段を参照して、前記差出人に応じた前記区域コードを取得し、前記地域情報記憶手段を参照して、取得した前記区域コードが含まれる前記範囲情報に対応付けられた前記地域を前記差出人地域とし、前記差出人が前記差出人地域を指定する場合には、前記差出人から指定された前記地域を前記差出人地域とすることを特徴とする付記７記載のサービス提供プログラム。
【０１１６】
（付記９）  採番された前記抽選番号を前記グリーティングカードに印刷するカード印刷手段をさらに有することを特徴とする付記７記載のサービス提供プログラム。
（付記１０）  紙葉からなり、懸賞が付加されたグリーティングカードにおけるサービスを提供するサービス提供装置において、
前記グリーティングカードの受取人に関する情報を差出人から取得する受取人情報取得手段と、
予め設定された地域毎に地域コードが割り振られて登録されている地域情報記憶手段を参照して、前記差出人に関する地域を示す差出人地域に割り振られている前記地域コードを取得する地域コード取得手段と、
前記地域コード取得手段において取得された前記地域コードを含む抽選番号を採番し、前記抽選番号と前記受取人とを対応付けてカード情報記憶手段に格納する抽選番号採番手段と、
前記懸賞における当選番号を用いて前記カード情報記憶手段を参照して、前記懸賞に当選した前記抽選番号を取得し、地域コード毎に前記懸賞の賞品が予め登録されている賞品情報記憶手段を参照して、取得した前記抽選番号に含まれる前記地域コードに応じた前記賞品を、前記カード情報記憶手段において取得した前記抽選番号に対応付けられた前記受取人への前記賞品として特定する賞品特定手段と、
を有することを特徴とするサービス提供装置。
【０１１７】
（付記１１）  前記地域は各々に区域コードが割り振られている複数の区域によって構成され、前記地域情報記憶手段には、さらに前記地域毎に前記地域を構成する前記区域に割り振られている前記区域コードの範囲を示す範囲情報が登録されており、前記地域コード取得手段は、前記差出人に前記差出人地域を指定するか否かの要求を行い、前記差出人が前記差出人地域を指定しない場合には、前記差出人毎に前記差出人が居住する前記区域に割り振られている前記区域コードが予め登録されている差出人情報記憶手段を参照して、前記差出人に応じた前記区域コードを取得し、前記地域情報記憶手段を参照して、取得した前記区域コードが含まれる前記範囲情報に対応付けられた前記地域を前記差出人地域とし、前記差出人が前記差出人地域を指定する場合には、前記差出人から指定された前記地域を前記差出人地域とすることを特徴とする付記１０記載のサービス提供装置。
【０１１８】
（付記１２）  採番された前記抽選番号を前記グリーティングカードに印刷するカード印刷手段をさらに有することを特徴とする付記１０記載のサービス提供装置。
（付記１３）  紙葉からなり、懸賞が付加されたグリーティングカードにおけるサービスを提供する処理をコンピュータに記録させるプログラムを格納したコンピュータ読み取り可能な記録媒体において、
コンピュータを、
前記グリーティングカードの受取人に関する情報を差出人から取得する受取人情報取得手段、
予め設定された地域毎に地域コードが割り振られて登録されている地域情報記憶手段を参照して、前記差出人に関する地域を示す差出人地域に割り振られている前記地域コードを取得する地域コード取得手段、
前記地域コード取得手段において取得された前記地域コードを含む抽選番号を採番し、前記抽選番号と前記受取人とを対応付けてカード情報記憶手段に格納する抽選番号採番手段、
前記懸賞における当選番号を用いて前記カード情報記憶手段を参照して、前記懸賞に当選した前記抽選番号を取得し、地域コード毎に前記懸賞の賞品が予め登録されている賞品情報記憶手段を参照して、取得した前記抽選番号に含まれる前記地域コードに応じた前記賞品を、前記カード情報記憶手段において取得した前記抽選番号に対応付けられた前記受取人への前記賞品として特定する賞品特定手段、
として機能させるプログラムを格納したコンピュータ読み取り可能な記録媒体。
【図面の簡単な説明】
【０１１９】
【図１】本発明の実施の形態に適用される発明の概念図である。
【図２】本発明を適用した年賀状サービスのシステム構成を示す図である。
【図３】本発明の実施の形態に用いるサービス提供サーバのハードウェア構成例を示す図である。
【図４】サービス提供サーバの機能を示す機能ブロック図である。
【図５】地域管理テーブルのデータ構造例を示す図である。
【図６】抽選番号管理テーブルのデータ構成例を示す図である。
【図７】差出人ＤＢのデータ構成例を示す図である。
【図８】年賀状ＤＢのデータ構成例を示す図である。
【図９】賞品ＤＢのデータ構成例を示す図である。
【図１０】年賀状作成処理の処理手順を示すフローチャートである。
【図１１】年賀状当選処理の処理手順を示すフローチャートである。
【図１２】賞品発送処理の処理手順を示すフローチャートである。
【符号の説明】
【０１２０】
１  サービス提供装置
１ａ  地域情報記憶手段
１ｂ  カード情報記憶手段
１ｃ  賞品情報記憶手段
１ｄ  受取人情報取得手段
１ｅ  地域コード取得手段
１ｆ  抽選番号採番手段
１ｇ  賞品特定手段
２０  年賀状サービスセンタ
１００  サービス提供サーバ
１１１  地域管理テーブル
１１２  抽選番号管理テーブル
１１３  差出人ＤＢ
１１４  年賀状ＤＢ
１１５  賞品ＤＢ
１２１  差出人認証／登録部
１２２  受取人情報取得部
１２３  地域コード取得部
１２４  抽選番号採番部
１２５  年賀状作成処理部
１２６  当選確定部
１２７  賞品特定部
１２８  当選通知／受付部
１２９  賞品発送処理部
【図１】
2005275639.tif 000003
【図２】
2005275639.tif 000004
【図３】
2005275639.tif 000005
【図４】
2005275639.tif 000006
【図５】
2005275639.tif 000007
【図６】
2005275639.tif 000008
【図７】
2005275639.tif 000009
【図８】
2005275639.tif 000010
【図９】
2005275639.tif 000011
【図１０】
2005275639.tif 000012
【図１１】
2005275639.tif 000013
【図１２】
2005275639.tif 000014